(57)【要約】コストを低減しつつも、ゴーストやフレアを招く不要光を有効に抑制できる組み合わせレンズ及び撮像装置を提供する。レンズのフランジ部が有効径の外側に遷移面を有し、遷移面が光軸直交方向に延在する場合には黒色膜（ＢＫＭ）の形成により不要光を抑制し、コストを抑えることができ、遷移面が互いに離れていたり、光軸直交方向に対して傾いている場合には、遮光板（ＡＰ）を設けることで、不要光の抑制効果を高めることができる。
2014162847.tif 000002
【特許請求の範囲】
【請求項１】
３枚以上のレンズを同軸的に組み合わせてなる組み合わせレンズにおいて、
各レンズは、有効径外周囲にフランジ部を有しており、あるレンズの前記フランジ部の像側面と、別のレンズの前記フランジ部の物体側面を直接的又は間接的に当接させてなり、更に前記フランジ部は、互いに当接する前記像側面と前記物体側面の光軸直交方向内側であって、且つ有効径の外側に、遷移面を有しており、
対向する前記遷移面の少なくとも一方が、光軸に対して直交している場合には、前記遷移面の一方に遮光膜を形成し、
対向する前記遷移面の双方が、光軸に対して傾いている場合には、前記遷移面間に遮光板を配置することを特徴とする組み合わせレンズ。
【請求項２】
３枚以上のレンズを同軸的に組み合わせてなる組み合わせレンズにおいて、
各レンズは、有効径外周囲にフランジ部を有しており、あるレンズの前記フランジ部の像側面と、別のレンズの前記フランジ部の物体側面を直接的又は間接的に当接させてなり、更に前記フランジ部は、互いに当接する前記像側面と前記物体側面の光軸直交方向内側であって、且つ有効径の外側に、遷移面を有しており、
対向する前記遷移面の光軸方向最大距離が、レンズ間の軸間距離に等しいか、より大きいときは、前記遷移面間に遮光板を配置し、
対向する前記遷移面の光軸方向最大距離が、レンズ間の軸間距離より小さいときは、前記遷移面の一方に遮光膜を形成することを特徴とする組み合わせレンズ。
【請求項３】
前記遮光板を介して、あるレンズの前記フランジ部の像側面と、別のレンズの前記フランジ部の物体側面が間接的に当接することを特徴とする請求項１又は２に記載の組み合わせレンズ。
【請求項４】
前記遮光板は、前記遷移面から離れて光軸側に延在することを特徴とする請求項１〜３のいずれかに記載の組み合わせレンズ。
【請求項５】
前記遮光板を挟んでなる一対のレンズのうち少なくとも一方のレンズの光学面は、光軸近傍で対向するレンズに対して凸状であることを特徴とする請求項１〜４のいずれかに記載の組み合わせレンズ。
【請求項６】
請求項１〜５のいずれかに記載の組み合わせレンズと、固体撮像素子とを有することを特徴とする撮像装置。
【発明の詳細な説明】
【技術分野】
【０００１】
本発明は、ＣＣＤ型イメージセンサあるいはＣＭＯＳ型イメージセンサ等の固体撮像素子を有する撮像装置に用いられると好適な組み合わせレンズ及び撮像装置に関するものである。
【背景技術】
【０００２】
近年、ＣＣＤ型イメージセンサやＣＭＯＳ型イメージセンサ等の固体撮像素子を用いた撮像装置が搭載された携帯端末が普及している。このような携帯端末に搭載される撮像装置においても、より高画質の画像が得られるよう、高画素数の撮像素子を使用したものが市場に供給されるようになってきた。高画素数をもつ撮像素子は大型化をともなっていたが、近年、画素の高細密化が進み、撮像素子が小型化されるようになってきた。これに伴い、撮像装置に搭載されるレンズユニットも、低背化に加え、高精度な組み立てを確保しつつ生産性を向上することが要求されている。【０００３】
ここで、レンズユニットを複数のレンズからなる組み合わせレンズとしたときに、結像に寄与しない不要な光（不要光）がゴーストやフレアの原因となるが、これを抑制するために、個々のレンズ間に遮光シートを介在させることが行われている（特許文献１参照）。更に、近年では、遮光シートの代わりに、遮光性の塗料を塗布させる技術が提案されている（特許文献２参照）。遮光性の塗料を塗布することで、遮光シートが不要となるので、部品点数削減と共に組立性も向上し、レンズユニットの大量生産化、ひいては低コスト化に寄与する。
【先行技術文献】
【特許文献】
【０００４】
【特許文献１】特開２００９−２８２２６４号公報
【特許文献２】特開２０１１−１０００５６号公報
【発明の概要】
【発明が解決しようとする課題】
【０００５】
しかし、上述したような従来技術には、新たな課題があることが確認された。まず、レンズの高画素化と低背化及び大量生産化を満足させるため、レンズの枚数が増加しさらに、大量生産化にはなくてはならない組立性（調整工程プロセスを省略できること）を満足させるために、レンズの有効径外のフランジ部はさまざまな工夫を施した形状とされている。しかるに、ゴーストやフレアの対策のため、遮光性塗料の塗布により不要光の抑制を実現しようとしても、フランジ部の形状が障害となって、不要光の抑制効果が薄らぐという問題があることがわかった。【０００６】
本発明は、上記した問題に鑑み、コストを低減しつつも、ゴーストやフレアを招く不要光を有効に抑制できる組み合わせレンズ及び撮像装置を提供することを目的とする。
【課題を解決するための手段】
【０００７】
本発明による第１の組み合わせレンズは、３枚以上のレンズを同軸的に組み合わせてなる組み合わせレンズにおいて、
各レンズは、有効径外周囲にフランジ部を有しており、あるレンズの前記フランジ部の像側面と、別のレンズの前記フランジ部の物体側面を直接的又は間接的に当接させてなり、更に前記フランジ部は、互いに当接する前記像側面と前記物体側面の光軸直交方向内側であって、且つ有効径の外側に、遷移面を有しており、
対向する前記遷移面の少なくとも一方が、光軸に対して直交している場合には、前記遷移面の一方に遮光膜を形成し、
対向する前記遷移面の双方が、光軸に対して傾いている場合には、前記遷移面間に遮光板を配置することを特徴とする。【０００８】
本発明者らは、鋭意研究の結果、レンズのフランジ部に遮光膜を形成しただけでは、不要光の抑制が十分に行われないことを見いだした。又、それが、フランジ部の複雑な形状の影響によるものであることを見いだした。まず、製造工程の工数低減を図る方策として、隣接するレンズの光学面の有効径外周囲に延在してなり、且つ光軸方向にシフトしたフランジ部の像側面と物体側面とを互いに当接させることで、レンズの軸間距離を精度良く調整でき、且つ偏心を抑制できる技術がある。このような構成においては、互いに当接する像側面と物体側面との間に遮光膜を設けると、その膜厚バラツキによって、レンズの軸間距離のバラツキが増大する恐れがある。【０００９】
これに対し、像側面と物体側面の光軸直交方向内側であって、且つ有効径の外側に形成される遷移面に遮光膜を設けることで、レンズの軸間距離を精度良く確保しつつ、不要光の抑制を行うことができる。ところが、遷移面の形状によっては、遮光膜を形成しても不要光を遮光できない場合があることがわかった。つまり、遷移面は、レンズの光学面と、フランジ部の像側面又は物体側面との間に形成される面であるから、光学面の形状に依存して、遷移面の形状が変化する。ここで、例えば光軸直交方向に延在して対向する遷移面同士が接近している場合には、一方の遷移面に遮光膜を設けることで不要光を有効に捕捉できる。ところが、一対の遷移面の双方が光軸側に口を開いたように互いに対して傾いている場合、有効径内を通過した不要光が、遮光膜を設けていない遷移面側から入射して通過が許容されてしまう恐れがある。【００１０】
そこで、本発明においては、対向する前記遷移面の少なくとも一方が、光軸に対して直交している場合には、遮光膜を設けることで有効に機能を発揮するので、前記遷移面の一方に遮光膜を形成して不要光を抑制するようにし、これにより低コスト化を図ることとした。一方、対向する前記遷移面の双方が、光軸に対して傾いている場合には、遮光膜を設けても有効な機能を発揮することができないので、その代わりに前記遷移面間に遮光板を配置することにより、不要光の抑制効果を高めているのである。又、遮光板の厚みを精度良く管理することで、レンズの軸間距離を精度良く確保できる。尚、「黒色膜の形成」とは、インクジェットによる黒色インクの塗布、黒色インクのスタンプ、黒色膜のコート、黒色テープの貼り付けなどがある。【００１１】
本発明による第２の組み合わせレンズは、３枚以上のレンズを同軸的に組み合わせてなる組み合わせレンズにおいて、
各レンズは、有効径外周囲にフランジ部を有しており、あるレンズの前記フランジ部の像側面と、別のレンズの前記フランジ部の物体側面を直接的又は間接的に当接させてなり、更に前記フランジ部は、互いに当接する前記像側面と前記物体側面の光軸直交方向内側であって、且つ有効径の外側に、遷移面を有しており、
対向する前記遷移面の光軸方向最大距離が、レンズ間の軸間距離に等しいか、より大きいときは、前記遷移面間に遮光板を配置し、
対向する前記遷移面の光軸方向最大距離が、レンズ間の軸間距離より小さいときは、前記遷移面の一方に遮光膜を形成することを特徴とする。【００１２】
第１の組み合わせレンズと同様に、本発明においては、対向する前記遷移面の光軸方向最大距離が、レンズ間の軸間距離より小さいときは、遮光膜を設けることで有効に機能を発揮するので、前記遷移面の一方に遮光膜を形成して不要光を抑制するようにし、これにより低コスト化を図ることとした。一方、対向する前記遷移面の光軸方向最大距離が、レンズ間の軸間距離に等しいか、より大きいときは、遮光膜を設けても有効な機能を発揮することができないので、その代わりに前記遷移面間に遮光板を配置することにより、不要光の抑制効果を高めているのである。【００１３】
本発明による撮像装置は、上記第１または第２の組み合わせレンズと、固体撮像素子とを有することを特徴とする。
【発明の効果】
【００１４】
本発明によれば、コストを低減しつつも、ゴーストやフレアを招く不要光を有効に抑制できる組み合わせレンズ及び撮像装置を提供することができる。
【図面の簡単な説明】
【００１５】
【図１】（ａ）は本実施形態にかかる撮像装置１０の光軸に沿った断面図であり、（ｂ）は右半部の撮像レンズを拡大して示す図である。
【図２】図１の矢印II部を拡大して示す図である。
【図３】撮像装置１０を搭載したスマートフォンの正面図（ａ）及び背面図（ｂ）である。
【図４】図３のスマートフォンの制御ブロック図である。
【図５】（ａ）は別な実施形態のレンズユニットの断面図であり、（ｂ）は右半部の撮像レンズを拡大して示す図である。
【発明を実施するための形態】
【００１６】
以下、本発明による実施形態を図面に基づいて説明する。図１は、本実施形態にかかる撮像装置１０の光軸に沿った断面図である。以下に示す構成は概略図であり、形状や寸法等は実際と異なるものがある。
【００１７】
図１（ａ）に示すように、撮像装置１０は、光電変換部（受光面）１１ａを備えた固体撮像素子としてのＣＭＯＳ型撮像素子１１と、この撮像素子１１の光電変換部１１ａに被写体像を撮像させる撮像レンズ（組み合わせレンズ）１２と、撮像レンズ１２を保持する鏡枠１３と、平行平板状であるＩＲカットフィルタ１４と、撮像素子１１を支持する基板１５とを有する。
【００１８】
図１（ａ）に示すように、撮像素子１１は、平行平板状のチップ上において、その受光側（図１で上面）の中央部に、画素（光電変換素子）が２次元的に配置された、撮像面としての光電変換部１１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。
【００１９】
また、撮像素子１１のチップにおける受光面側の外縁近傍に形成された複数のパッドは、不図示のワイヤにより基板１５に接続されている。撮像素子１１は、光電変換部１１ａからの信号電荷をデジタルＹＵＶ信号等の画像信号等に変換し、不図示の外部回路（例えば、撮像装置を実装した上位装置が有する制御回路）へと送信するようになっている。又、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００２０】
図１（ａ）において、鏡枠１３の内部には、５枚レンズ構成の撮像レンズ１２が設けられている。撮像レンズ１２と鏡枠１３とでレンズユニットを構成する。撮像レンズ１２は物体側より順に、第１レンズＬ１、第２レンズＬ２、第３レンズＬ３、第４レンズＬ４、第５レンズＬ５からなり、それぞれ有効径外にフランジ部を有する。
【００２１】
図１（ｂ）において、第１レンズＬ１の有効径外に設けられたフランジ部Ｌ１ｆの光軸直交平面である像側面Ｌ１ｆ１は、像側に突出しており、第２レンズＬ２の有効径外に設けられたフランジ部Ｌ２ｆにおける、像側にシフトした光軸直交平面である物体側面Ｌ２ｆ２に直接（接着剤を介在させることなく）面当たりしている。第１レンズＬ１の像側面Ｌ１ｆ１の光軸直交方向内側であって、且つ像側面Ｌ１ｆ１に隣接する傾斜面Ｌ１ｆ３と交差する位置から有効径まで、物体側面Ｌ１ｆ１に対して光軸方向物体側にシフトした第１像側遷移面Ｌ１ｆ６が形成されている。第１像側遷移面Ｌ１ｆ６は光軸直交方向に延在している。又、第２レンズＬ２の物体側面Ｌ２ｆ２の光軸直交方向内側であって、且つ物体側面Ｌ２ｆ２に隣接する傾斜面Ｌ２ｆ９と交差する位置から有効径まで、物体側面Ｌ２ｆ２に対して光軸方向物体側にシフトした第２物体側遷移面Ｌ２ｆ７が形成されている。第２物体側遷移面Ｌ２ｆ７の一部は光軸直交方向に延在している。第１像側遷移面Ｌ１ｆ６と、第２物体側遷移面Ｌ２ｆ７との光軸方向最大距離Δ１は、第１レンズＬ１と第２レンズＬ２の軸間距離Δ２より小さくなっている。第１像側遷移面Ｌ１ｆ６には、黒色膜ＢＫＭが形成されている。
【００２２】
図２は、図１の矢印II部を拡大して示す図である。図２において、第１レンズＬ１のフランジ部Ｌ１ｆの像側面Ｌ１ｆ１につながるようにして傾斜面Ｌ１ｆ３が形成され、第２レンズＬ２のフランジ部Ｌ２ｆの物体側面Ｌ２ｆ２につながるようにして傾斜面Ｌ２ｆ９が形成されている。傾斜面Ｌ１ｆ３は、遷移面Ｌ１ｆ６と交差し、傾斜面Ｌ２ｆ９は、遷移面Ｌ２ｆ７と交差する。傾斜面Ｌ１ｆ３，Ｌ２ｆ９はわずかな隙間を空けており、第１レンズＬ１と第２レンズＬ２の光軸は、この隙間の範囲内のばらつきに抑えられ、光学性能を確保できる。
【００２３】
図１（ｂ）において、第２レンズＬ２の有効径外に設けられたフランジ部Ｌ２ｆの光軸直交平面である像側面Ｌ２ｆ１は、像側に突出しており、第３レンズＬ３の有効径外に設けられたフランジ部Ｌ３ｆにおける、像側にシフトした光軸直交平面である物体側面Ｌ３ｆ２に直接（接着剤を介在させることなく）面当たりしている。第２レンズＬ２の像側面Ｌ２ｆ１の光軸直交方向内側であって、且つ像側面Ｌ２ｆ１に隣接する傾斜面Ｌ２ｆ３と交差する位置から有効径まで、像側面Ｌ２ｆ１に対して光軸方向物体側にシフトした第２像側遷移面Ｌ２ｆ６が形成されている。第２像側遷移面Ｌ２ｆ６は光軸直交方向に延在している。又、第３レンズＬ３の物体側面Ｌ３ｆ２の光軸直交方向内側であって、且つ物体側面Ｌ３ｆ２に隣接する傾斜面Ｌ３ｆ９と交差する位置から有効径まで、物体側面Ｌ３ｆ２に対して光軸方向物体側にシフトした第３物体側遷移面Ｌ３ｆ７が形成されている。第３物体側遷移面Ｌ３ｆ７は光軸直交方向に延在している。第２像側遷移面Ｌ２ｆ６と、第３物体側遷移面Ｌ３ｆ７との光軸方向最大距離Δ３は、第２レンズＬ２と第３レンズＬ３の軸間距離Δ４より小さくなっている。第２像側遷移面Ｌ２ｆ６には、黒色膜ＢＫＭが形成されている。尚、第２レンズＬ２，第３レンズＬ３における傾斜面の構成については、図２と同様である。
【００２４】
第３レンズＬ３の有効径外に設けられたフランジ部Ｌ３ｆの光軸直交平面である像側面Ｌ３ｆ１は、像側に突出しており、第４レンズＬ４の有効径外に設けられたフランジ部Ｌ４ｆにおける、像側にシフトした光軸直交平面である物体側面Ｌ４ｆ２に直接（接着剤を介在させることなく）面当たりしている。第３レンズＬ３の像側面Ｌ３ｆ１の光軸直交方向内側であって、且つ像側面Ｌ３ｆ１に隣接する傾斜面Ｌ３ｆ３と交差する位置から有効径まで、像側面Ｌ３ｆ１に対して光軸方向物体側にシフトした第３像側遷移面Ｌ３ｆ６が形成されている。第３像側遷移面Ｌ３ｆ６は光軸直交方向に延在している。又、第４レンズＬ４の物体側面Ｌ４ｆ２の光軸直交方向内側であって、且つ物体側面Ｌ４ｆ２に隣接する傾斜面Ｌ４ｆ９と交差する位置から有効径まで、物体側面Ｌ４ｆ２に対して光軸方向物体側にシフトした第４物体側遷移面Ｌ４ｆ７が形成されている。第４物体側遷移面Ｌ４ｆ７は光軸直交方向に延在している。第３像側遷移面Ｌ３ｆ６と、第４物体側遷移面Ｌ４ｆ７との光軸方向最大距離Δ５は、第３レンズＬ３と第４レンズＬ４の軸間距離Δ６より小さくなっている。第３像側遷移面Ｌ３ｆ６には、黒色膜ＢＫＭが形成されている。尚、第３レンズＬ３，第４レンズＬ４における傾斜面の構成については、図２と同様である。
【００２５】
第４レンズＬ４の有効径外周囲に設けられたフランジ部Ｌ４ｆの光軸直交平面である像側に突出した像側面Ｌ４ｆ１と、第５レンズＬ５の有効径外周囲に設けられたフランジ部Ｌ５ｆの光軸直交平面である物体側に突出した物体側面Ｌ５ｆ２との間には、ドーナッツ板状の遮光板ＡＰが当接挟持されている。遮光板ＡＰの外周は、鏡枠１３の内周に当接しており、また第４レンズＬ４の有効径の近傍まで片持ち状に延在している。第４レンズＬ４の像側面Ｌ４ｆ１の光軸直交方向内側であって、且つ像側面Ｌ４ｆ１に対して光軸方向物体側にシフトした位置から第４像側遷移面Ｌ４ｆ６が形成されている。第４像側遷移面Ｌ４ｆ６は遮光板ＡＰから離れて、光軸直交方向に対して物体側に傾いて延在した後に、有効径で光学面に接続する。第４レンズＬ４の光学面は、第５レンズＬ５に対して凸状である。又、第５レンズＬ５の物体側面Ｌ５ｆ２の光軸直交方向内側であって、且つ物体側面Ｌ５ｆ２に対して光軸方向物体側にシフトした第５物体側遷移面Ｌ５ｆ７が形成されている。第５物体側遷移面Ｌ５ｆ７は遮光板ＡＰから離れて、光軸直交方向に対して像側に傾いて延在した後、有効径で光学面に接続する。第４像側遷移面Ｌ４ｆ６と、第５物体側遷移面Ｌ５ｆ７との光軸方向最大距離Δ７は、第４レンズＬ４と第５レンズＬ５の軸間距離Δ８より大きくなっている。
【００２６】
第１レンズＬ１のフランジ部Ｌ１ｆの物体側面Ｌ１ｆ２は、鏡枠１３の開口を有する壁部１３ａの像側面に当接し、またフランジ部Ｌ１ｆの外周面Ｌ１ｆ４は壁部１３ａに隣接した小径部１３ｂの内周面に当接している。一方、第５レンズＬ５のフランジ部Ｌ５ｆの外周面は、遮光板ＡＰに隣接して鏡枠１３の内周面に当接している。
【００２７】
第５レンズＬ５のフランジ部Ｌ５ｆの撮像素子１１側には、環状のスペーサＳＰを介してＩＲカットフィルタ１４が配置されている。鏡枠１３の下端は、ＩＲカットフィルタ１４を保持する環状のホルダ１６を介して基板１５上に当接している。
【００２８】
各レンズのフランジ部は射出成形によって精度良く形成されている。よって、組み付け時には、鏡枠１３に対して、第１レンズＬ１，第１遮光板ＡＰ１、第２レンズＬ２，第２遮光板ＡＰ２、第３レンズＬ３，第３遮光板ＡＰ３、第４レンズＬ４と組み付けていくと、フランジ部の対向する当接面同士が互いに当接し合うことで、第１レンズＬ１から第４レンズＬ４までの光軸方向の相対位置が精度良く調整される。又、第４遮光板ＡＰ４の板厚は、精度良く管理されているので、これを介在させて第５レンズＬ５を組み付けた場合、第４レンズＬ４と第５レンズＬ５との光軸方向の相対位置が精度良く調整される。
【００２９】
一方、フランジ部のテーパ面同士が所定の隙間を空けて対向することで、図２に示したとおり、第１レンズＬ１から第４レンズＬ４までの光軸が精度良く合わされる。又、第１レンズＬ１と第５レンズＬ５は、鏡枠１３を介して互いの光軸が精度良く合わされる。
【００３０】
本実施形態によれば、遷移面が光軸直交方向に延在する場合には黒色膜ＢＫＭの形成によりコストを抑えることができ、遷移面が互いに離れていたり、光軸直交方向に対して傾いている場合には、遮光板ＡＰを設けることで、不要光の抑制効果を高めることができる。
【００３１】
上述した撮像装置１０の動作について説明する。図３は、撮像装置１０を携帯端末としてのスマートフォン１００に装備した状態を示す。また、図４はスマートフォン１００の制御ブロック図である。
【００３２】
撮像装置１０は、例えば、鏡枠１３の物体側端面がスマートフォン１００の背面（図３（ｂ）参照）に設けられ、液晶表示部の下方に相当する位置に配設される。
【００３３】
撮像装置１０は、外部接続端子（図４では矢印）を介して、スマートフォン１００の制御部１０１と接続され、輝度信号や色差信号等の画像信号を制御部１０１側に出力する。
【００３４】
一方、スマートフォン１００は、図４に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００３５】
スマートフォン１００は、入力部６０の操作によって動作し、アクチュエータ（不図示）により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９２に記憶されたり、或いはタッチパネル７０で表示され、さらには、無線通信部８０を介して映像情報として外部に送信される。
【００３６】
図５は、別な実施形態にかかる５枚構成のレンズユニットを示す断面図である。撮像素子等は図示を省略している。本実施形態においては、第１レンズＬ１より第３レンズＬ３の物体側までの構成、及び第４レンズＬ４の像側より第５レンズＬ５までの構成は、図１と同様である。よって、第３レンズＬ３像側と，第４レンズＬ４の物体側の構成について説明する。
【００３７】
図５（ｂ）において、第３レンズＬ３の像側面Ｌ３ｆ１の光軸直交方向内側において、有効径から光軸直交方向外側に延在する第３像側遷移面Ｌ３ｆ６と、像側面Ｌ３ｆ１に隣接した傾斜面Ｌ３ｆ３との間に、像側面Ｌ３ｆ１に対して光軸方向物体側にシフトした第３接続面Ｌ３ｆ８が形成されている。第３接続面Ｌ３ｆ８は、光軸直交方向に延在しているが、第３像側遷移面Ｌ３ｆ６は、光軸に対して傾いている。又、第４レンズＬ４の物体側面Ｌ４ｆ２の光軸直交方向内側において、有効径から光軸直交方向外側に延在する第４物体側遷移面Ｌ４ｆ７と、物体側面Ｌ４ｆ２に隣接した傾斜面Ｌ４ｆ９との間に、第４接続面Ｌ４ｆ８が形成されている。第４接続面Ｌ４ｆ８は、光軸直交方向に延在しているが、第４像側遷移面Ｌ４ｆ７は、光軸に対して傾いている。第３像側遷移面Ｌ３ｆ６と、第４物体側遷移面Ｌ４ｆ７との光軸方向最大距離Δ５は、第３レンズＬ３と第４レンズＬ４の軸間距離Δ６より大きくなっている。
【００３８】
第３接続面Ｌ３ｆ８と第４接続面Ｌ４ｆ８との間には、ドーナッツ板状の遮光板ＡＰ’が当接挟持されている。遮光板ＡＰ’は、第３レンズＬ３の有効径の近傍まで片持ち状に延在している。第３像側遷移面Ｌ３ｆ６と、第４物体側遷移面Ｌ４ｆ７は遮光板ＡＰ’から離れるよう傾いて延在している。それ以外の構成は上述した実施形態と同様である。
【００３９】
以下、好ましい態様についてまとめて説明する。
【００４０】
前記遮光板を介して、あるレンズの前記フランジ部の像側面と、別のレンズの前記フランジ部の物体側面が間接的に当接することが好ましい。これにより前記遮光板を鏡枠まで到達させることができるので、フランジ部を導光する不要光の抑制効果が高まる。
【００４１】
前記遮光板は、前記遷移面から離れて光軸側に延在することが好ましい。これにより、遮光膜では遮光できない、レンズの有効径内を通過する不要光を捕獲できるので、不要光の抑制効果が高い。
【００４２】
前記遮光板を挟んでなる一対のレンズのうち少なくとも一方のレンズの光学面は、光軸近傍で対向するレンズに対して凸状であることが好ましい。このような形状であるレンズの場合、対向する遷移面同士が離れることが多いので、前記遮光板を設けることが有効である。
【００４３】
本発明は、明細書に記載の実施形態に限定されるものではなく、他の実施形態・変形例を含むことは、本明細書に記載された実施形態や技術思想から本分野の当業者にとって明らかである。
【符号の説明】
【００４４】
１０            撮像装置
１１            撮像素子
１１ａ          光電変換部
１２            撮像レンズ
１３            鏡枠
１４            ＩＲカットフィルタ
１５            基板
１６            ホルダ
６０            入力部
６５            表示部
７０            タッチパネル
７１            レリーズボタン
８０            無線通信部
９２            記憶部
１００          スマートフォン
１０１          制御部
Ｌ１〜Ｌ６      レンズ
ＡＰ、ＡＰ’    遮光部材
ＢＫＭ          遮光膜
【図１】
2014162847.tif 000003
【図２】
2014162847.tif 000004
【図３】
2014162847.tif 000005
【図４】
2014162847.tif 000006
【図５】
2014162847.tif 000007
【国際調査報告】
2014162847.tif 000008
2014162847.tif 000009
2014162847.tif 000010